(57)【要約】  空気調和機は、開口部を有し、開口部とつながる風路が形成された筐体と、筐体に設置され、風路に気流を発生させる送風機と、風路に配置され、空気と熱媒体とを熱交換させる熱交換器と、送風機への接触を防止するものであって、筐体の開口部が設けられた面との間に隙間を形成して筐体に設置されたファンガードと、隙間に挿入されて筐体に取り付けられ、開口部を覆うフィルタと、を備え、ファンガードは、フィルタの挿入方向の奥側ほど隙間が狭くなるように筐体に設置されている。
2019239585.tif 000002
【特許請求の範囲】
【請求項１】
開口部を有し、前記開口部とつながる風路が形成された筐体と、
前記筐体に設置され、前記風路に気流を発生させる送風機と、
前記風路に配置され、空気と熱媒体とを熱交換させる熱交換器と、
前記送風機への接触を防止するものであって、前記筐体の前記開口部が設けられた面との間に隙間を形成して前記筐体に設置されたファンガードと、
前記隙間に挿入されて前記筐体に取り付けられ、前記開口部を覆うフィルタと、
を備え、
前記ファンガードは、前記フィルタの挿入方向の奥側ほど前記隙間が狭くなるように前記筐体に設置されている
空気調和機。
【請求項２】
前記フィルタは、前記筐体と係り合う係合部を有し、
前記筐体には、前記係合部と係り合う被係合部が設けられ、
前記筐体に設置された前記ファンガードは、前記フィルタが挿入される際、前記フィルタを前記係合部が前記被係合部の位置となるように誘導し、
前記係合部と前記被係合部とは、前記フィルタが挿入方向に押し込まれると係り合う
請求項１に記載の空気調和機。
【請求項３】
前記係合部は、前記フィルタにおいて前記開口部側に突出した爪部であり、
前記被係合部は、差込穴又は前記開口部の縁部である
請求項２に記載の空気調和機。
【請求項４】
前記ファンガードは、平面状に形成され、前記筐体の前記開口部が設けられ面に対して傾斜している
請求項１〜３のいずれか１項に記載の空気調和機。
【請求項５】
前記開口部は、前記筐体の底面に設けられた吸込口である
請求項１〜４のいずれか１項に記載の空気調和機。
【発明の詳細な説明】
【技術分野】
【０００１】
本発明は、フィルタ及びファンガードを備えた空気調和機に関する。
【背景技術】
【０００２】
従来から、居住空間等に設置される空気調和機は、空気の吸込口及び吹出口が設けられた筐体と、熱交換器と、送風機等とを備える。また吸込口には、空気中の塵埃を捕捉するフィルタが設けられる。フィルタに塵埃が付着して目詰まりが生じると吹出口からの風量が低下し、空気調和機の性能が低下するため、定期的にフィルタの清掃又は交換が行われる。このため、フィルタには係合爪等が設けられ、筐体には係合爪と係り合う被係合部が設けられ、フィルタを着脱できるように構成されている。【０００３】
ところで、空気調和機において、筐体の上面に設けられた吸込口にフィルタを設置するとともに、筐体の下面前方に設けられた吹出口にファンガード（フィンガーガード）を設置したものがある（例えば、特許文献１参照）。特許文献１の空気調和機において、フィンガーガードは、送風回路の一面と、送風回路の一面に対向する上下風向変更羽根の一面とに保持され、ファンに人の手指が触れるのを防止している。
【先行技術文献】
【特許文献】
【０００４】
【特許文献１】特開２０１６−２０５７２２号公報
【発明の概要】
【発明が解決しようとする課題】
【０００５】
作業者がフィルタを筐体に取り付ける際、空気調和機の設置場所、奥行き寸法、及びフィルタの装着位置によっては、作業が行いにくい場合がある。例えば、特許文献１のように筐体の下面前方に吹出口が設けられる空気調和機は、一般に、壁面の高い位置に設置される。このような空気調和機では、フィルタが取り付けられる筐体の上面、特に上面の背面側を作業者が目視で確認し難い。また例えば、空気調和機が窓側の床面に設置される場合、空気調和機の高さ寸法が制限されることがある。この場合、吸込口が筐体の下面に設けられていると、下面と床面との間に、作業者が被係合部の位置を確認するのに必要な空間を確保することができず、作業が行いにくいことがある。【０００６】
本発明は、上記のような課題を解決するためになされたもので、筐体へフィルタを容易に設置できる空気調和機を提供することを目的とする。
【課題を解決するための手段】
【０００７】
本発明に係る空気調和機は、開口部を有し、前記開口部とつながる風路が形成された筐体と、前記筐体に設置され、前記風路に気流を発生させる送風機と、前記風路に配置され、空気と熱媒体とを熱交換させる熱交換器と、前記送風機への接触を防止するものであって、前記筐体の前記開口部が設けられた面との間に隙間を形成して前記筐体に設置されたファンガードと、前記隙間に挿入されて前記筐体に取り付けられ、前記開口部を覆うフィルタと、を備え、前記ファンガードは、前記フィルタの挿入方向の奥側ほど前記隙間が狭くなるように前記筐体に設置されている。
【発明の効果】
【０００８】
本発明の空気調和機によれば、フィルタの挿入方向の奥側ほど、ファンガードと開口部が設けられた面との隙間が狭くなることにより、挿入方向の手前側ではフィルタの挿入を容易にでき、また挿入方向の奥側ではフィルタを筐体に近づけることができる。したがって、作業者がフィルタをファンガードに沿わせて挿入することで、ファンガードがフィルタのガイドとしても機能し、作業者は、挿入方向の奥側を目視で確認しにくい場合でも、フィルタを筐体に容易に設置できる。
【図面の簡単な説明】
【０００９】
【図１】本発明の実施の形態１に係る空気調和機の外観を示す斜視図である。
【図２】本発明の実施の形態１に係る空気調和機の外観を示す側面図である。
【図３】本発明の実施の形態１に係る空気調和機の下面図である。
【図４】本発明の実施の形態１に係る空気調和機の縦断面図である。
【図５】本発明の実施の形態１に係るフィルタの構成を示す説明図ある。
【図６】本発明の実施の形態１に係るファンガードの構成を示す斜視図である。
【図７】本発明の実施の形態１に係る筐体のファンガードとフィルタが取り付けられた状態を示す部分側面図である。
【図８】図４の領域Ｒの部分拡大図である。
【図９】本発明の実施の形態１に係る被係合部の他の一例を示す説明図である。
【発明を実施するための形態】
【００１０】
実施の形態１．
図１は、本発明の実施の形態１に係る空気調和機の外観を示す斜視図である。図２は、本発明の実施の形態１に係る空気調和機の外観を示す側面図である。図３は、本発明の実施の形態１に係る空気調和機の下面図である。ここでは、空気調和機１００が、空調対象空間の床面２００に設置されている場合を例に説明する。図中、矢印Ｘ方向は空気調和機１００の幅方向を表し、矢印Ｙ方向は空気調和機１００の奥行き方向を表し、矢印Ｚ方向は空気調和機１００の高さ方向を表している。
【００１１】
空気調和機１００は、図示していない室外機に２本の接続配管を介して接続されて熱媒体回路を形成する。熱媒体は、例えば冷媒、水又はブライン液等どのようなものが用いられてもよいが、ここでは熱媒体が水である場合を例に説明する。
【００１２】
空気調和機１００は、筐体１と、筐体１を支持するベース１４を備えている。筐体１は、上面に配置された天面部１１と、前面に配置された前面部１２と、幅方向（矢印Ｘ方向）の両側面に配置された２つの側面フレーム１３と、背面に配置された背面部１５とを有している。筐体１の底面は開口しており、空気の吸込口２６として機能する。天面部１１には空気の吹出口２１が設けられており、筐体１内には、吸込口２６と吹出口２１とが連通した風路が形成されている。
【００１３】
前面部１２は複数の板部材１２ａ、１２ｂ、１２ｃから成り、各板部材１２ａ、１２ｂ、１２ｃは、側面フレーム１３、あるいは側面フレーム１３及び天面部１１に、ねじ等により取り付けられている。空気調和機１００のメンテナンスが行われる際、複数の板部材１２ａ、１２ｂ、１２ｃのうち必要な板部材が取り外されて、筐体１内に設置されている機器の点検あるいは部品の交換等がなされる。
【００１４】
前面部１２の下端部には、後方へ折り曲げられた前側フランジ１２ｆが形成されている。前側フランジ１２ｆは、筐体１の底面の前側の一部を覆っており、吸込口２６の前縁部を構成する。背面部１５の下端部には、前方へ折り曲げられた後ろ側フランジ１５ｆが形成されている。後ろ側フランジ１５ｆは、筐体１の底面の後ろ側の一部を覆っており、吸込口２６の後縁部を構成する。
【００１５】
側面フレーム１３は、筐体１内に機器を設置するための架台として機能する。各側面フレーム１３には複数のねじ穴２９（図７参照）が形成されており、各ねじ穴２９には、ベース１４を固定する固定ねじ９１が挿入される。右側の側面フレーム１３には、筐体１内で生じた水分を外部へ通すドレン孔２３が形成されている。
【００１６】
ベース１４は、筐体１の右側及び左側の下方にそれぞれ設置され、筐体１を支持する。図１に示される例では、ベース１４は、高さ方向（矢印Ｚ方向）に延びる第１片１４ａと、第１片１４ａの下端から幅方向（矢印Ｘ方向）の外側へ延びる第２片１４ｂとを有し、正面視で略Ｌ字状に形成されている。
【００１７】
ベース１４は、第１片１４ａの上部が側面フレーム１３に複数の固定ねじ９１により固定され、第２片１４ｂが床面２００と接触する。筐体１は、ベース１４により、床面２００からの底面の高さが高さｈとなるように支持され、吸込口２６が設けられた底面と床面２００との間に空間が形成される。このように形成された空間と吸込口２６とを介して、筐体１内に空気が取り込まれる。
【００１８】
図４は、本発明の実施の形態１に係る空気調和機の縦断面図である。筐体１内には、通風孔１６ａを有する板状の送風機台１６が設置されている。送風機台１６は、２つの側面フレーム１３に渡って設けられ、ねじ等により、各側面フレーム１３に固定されている。
【００１９】
また空気調和機１００は、熱交換器２と、ドレンパン３と、送風機４と、フィルタ６と、ファンガード７とを備える。熱交換器２は、風路上に設置されている。熱交換器２は、例えばプレートフィン熱交換器から成り、伝熱管を通る水と周囲の空気との熱交換を行う。熱交換器２は、前面部１２に対して傾いた状態で筐体１内に配置されており、上端部が背面部１５側に位置し、下端部が前面部１２側に位置する。熱交換器２は、空気調和機１００の幅方向（矢印Ｘ方向）に延び、両側の端部は、各側面フレーム１３にそれぞれ設置される。
【００２０】
具体的には、熱交換器２の右側の端部は、図１及び図２に示されるそれぞれバルブを有する伝熱管の水出口２４と水入口２２とが側面フレーム１３から露出するように、右側の側面フレーム１３に取り付けられる。各バルブは、外部から作業者が操作できるように構成されている。空気調和機１００と室外機とを接続する２本の接続配管のうち、一方が伝熱管の水出口２４に接続され、他方が伝熱管の水入口２２に接続される。また右側の側面フレーム１３において熱交換器２の右側の端部が取り付けられる位置には、外側から配管カバー１３ａが取り付けられる。
【００２１】
ドレンパン３は、熱交換器２の下方に配置され、熱交換器２（図４参照）で空気が冷却されたときに生じる水（ドレン水）を受ける。ドレンパン３は、左端部よりも右端部が低い位置となるように傾斜した状態で送風機台１６上に設置されている。またドレンパン３は、奥行き方向（矢印Ｙ方向）において傾斜しており、最下部には、溝３ａが形成されている。ドレンパン３の溝３ａは、右側の側面フレーム１３に設けられたドレン孔２３につながっており、熱交換器２からドレンパン３に落ちたドレン水は、溝３ａを右側へ流れ、ドレン孔２３を介して筐体１の外へ排出される。
【００２２】
送風機４は、例えばシロッコファン等から成り、モータにより羽根が回転することによって気流を発生させる。図４に示されるように、送風機４は、空気の吐出口４ａが送風機台１６の通風孔１６ａにつながるように、送風機台１６の下部に設置されている。
【００２３】
ファンガード７は、筐体１の吸込口２６が設けられた底面に、２つの側面フレーム１３に渡って設けられる。ファンガード７は、吸込口２６を介して人の手指が送風機４へ接触することを防止する。ファンガード７と筐体１の底面との間には、隙間Ｇが形成されている。
【００２４】
フィルタ６は、吸込口２６を覆うように設けられ、筐体１内への塵埃等の侵入を防止するものである。フィルタ６は、筐体１の底面とファンガード７との隙間Ｇに配置され、吸込口２６の縁部に着脱自在に取り付けられる。
【００２５】
また空気調和機１００は、図示していない制御部を備える。制御部には、送風機４及びリモートコントローラ（リモコン）等が信号線を介して接続されている。制御部は、リモコンから入力される信号に基づいて送風機４の回転数を制御し、吹出口２１から吹き出される風量を制御する。
【００２６】
次に、図１〜図４に基づき、空気調和機１００の動作について説明する。空気調和機１００の運転中、送風機４の稼動によって気流が生じ、空調対象空間の空気が吸込口２６を介して筐体１内に吸い込まれる。このとき、筐体１内に空気が吸い込まれる過程で、空調対象空間の塵埃がフィルタ６によって除去される。筐体１内に吸い込まれた空気は、送風機４により、風路に配置された熱交換器２へ供給され、熱交換器２において熱交換器２内に流れる水と熱交換する。
【００２７】
熱交換器２に冷水が流れているとき、熱交換器２に供給された空気は冷水によって冷却され、冷却された空気は、送風機４により、吹出口２１を介して筐体１の外へ吹き出される。これにより、空調対象空間の冷房が行われる。一方、熱交換器２に温水が流れているとき、熱交換器２に供給された空気は温水によって温められ、温められた空気は、送風機４により、吹出口２１を介して筐体１の外へ吹き出される。これにより、空調対象空間の暖房が行われる。
【００２８】
図５は、本発明の実施の形態１に係るフィルタの構成を示す説明図ある。フィルタ６は、空気を通しつつ空気中の塵埃を捕捉する網部６１と、網部６１の周囲に設けられ、網部６１を保持する枠部６２とを有する。枠部６２は、例えば四角形状に形成された外枠部６２ａと、外枠部６２ａで囲まれた領域を、幅方向（矢印Ｘ方向）に仕切る第１仕切部６２ｂと、奥行き方向（矢印Ｙ方向）に仕切る第２仕切部６２ｃとを有している。図５に示される一例では、２つの第１仕切部６２ｂと１つの第２仕切部６２ｃとにより、外枠部６２ａで囲まれた領域が６区画に仕切られ、各区画に網部６１が設置されている。
【００２９】
また外枠部６２ａには、筐体１と係り合う係合部６３が設けられている。図５は、係合部６３が複数の爪部６３ａ、６３ｂである場合を例示する。４つの爪部６３ａ、６３ｂは、フィルタ６が筐体１に取り付けられた状態で、外枠部６２ａの吸込口２６側すなわち筐体１の底面側に突出するように設けられている。４つの爪部６３ａ、６３ｂのうち２つの爪部６３ａは、外枠部６２ａの前側の辺に設けられ、残りの２つの爪部６３ｂは、外枠部６２ａの後ろ側の辺に設けられている。前側に設けられた爪部６３ａは、外枠部６２ａの前側の辺において前方側の網部６１と隣接する位置から上方に起こされ、先端部が外側すなわち前方へ曲げられている。一方、後ろ側に設けられた爪部６３ｂは、外枠部６２ａの後ろ側の辺において後方側の網部６１と隣接する位置から上方に起こされ、先端部が外側すなわち後方へ曲げられている。
【００３０】
図６は、本発明の実施の形態１に係るファンガードの構成を示す斜視図である。ファンガード７は、例えば、複数の鉄線を溶接して格子状に形成されている。具体的には、ファンガード７は、幅方向（矢印Ｘ方向）に延びる複数の横桟７１と、奥行き方向（矢印Ｙ方向）に延びたレール状の複数の縦桟７２とにより略平面状に形成されている。隣り合う縦桟７２の間隔は、例えば、人の指が挿入できない間隔で平行に配置される。図６に示される一例では、前後２本の横桟７１ａ、７１ｂに複数の縦桟７２が架け渡され、前側の横桟７１ａと後ろ側の横桟７１ｂとの間に、複数の縦桟７２を支持するように中央の横桟７１ｃが設けられている。
【００３１】
また、前側の横桟７１ａの両端部及び後ろ側の横桟７１ｂの両端部には、筐体１との取付部７３がそれぞれ設けられている。４つの取付部７３は、ファンガード７において吸込口２６側に設けられている。具体的には、各取付部７３は、幅方向（矢印Ｘ方向）において複数の縦桟７２からはみ出た横桟７１ａ、７１ｂの端部が上方へ折り曲げられ、先端部が後方へ円弧状に巻かれて形成されている。
【００３２】
図７は、本発明の実施の形態１に係る筐体１のファンガードとフィルタが取り付けられた状態を示す部分側面図である。図８は、図４の領域Ｒの部分拡大図である。図８は、フィルタ６の係合部６３と係り合う筐体１の被係合部が、吸込口２６の縁部である場合を例示している。図７及び図８に基づき、空気調和機１００の吸込口２６周辺の構造について詳しく説明する。
【００３３】
各側面フレーム１３の前面側及び背面側には、ファンガード７の取付穴２７がそれぞれ設けられている。ファンガード７は、取付部７３が取付ねじ９２により側面フレーム１３に固定されることにより筐体１に組み付けられる。具体的には、取付ねじ９２の軸（図示せず）が側面フレーム１３の取付穴２７に挿入された状態で、取付部７３の先端部が取付ねじ９２の軸に引っ掛けられ、取付ねじ９２が締結されることにより取付部７３が側面フレーム１３に固定される。
【００３４】
図８に示されるように、ファンガード７は筐体１の底面に対して傾斜しており、背面側でのファンガード７と筐体１の底面との距離Ｌ２は、正面側でのファンガード７と筐体１の底面との距離Ｌ１よりも小さくなっている。すなわち、ファンガード７は、奥行き方向（矢印Ｙ方向）において背面部１５に近い位置ほど、高さ方向（矢印Ｚ方向）で筐体１の底面近くに位置し、隙間Ｇは正面側から背面側へ向かって次第に狭くなる。ここで、筐体１の底面は、正面側では前面部１２の前側フランジ１２ｆにより構成され、背面側では背面部１５の後ろ側フランジ１５ｆにより構成されている。被背面側でのファンガード７と筐体１の底面との距離Ｌ２は、フィルタ６の厚みＴ程度であるとよい。
【００３５】
また上述したように、複数の縦桟７２は３本の横桟７１ａ、７１ｂ、７１ｃの上側に配置されているので、ファンガード７と筐体１の底面との隙間Ｇは、複数の縦桟７２と筐体１の底面との隙間である。またファンガード７は、各縦桟７２が奥行き方向（矢印Ｙ方向）に沿うように設置される。
【００３６】
フィルタ６は、作業者により、複数の爪部６３ａ、６３ｂが突出した面が吸込口２６側を向くようにして、空気調和機１００の正面側から隙間Ｇに挿入される。以下、空気調和機１００の正面側を手前側といい、空気調和機１００の背面側を奥側という場合がある。フィルタ６が手前側から奥側へ矢印Ｄ方向（以下、挿入方向という）に押し込まれると、フィルタ６はファンガード７の複数の縦桟７２に沿って滑らかに移動する。このとき、フィルタ６の挿入方向の先端部は、手前側での高さ位置よりも持ち上げられて筐体１の底面に近づき、フィルタ６に設けられた２つの爪部６３ｂが、吸込口２６の後縁部の位置へ誘導される。そして、上方へ突出したフィルタ６の２つの爪部６３ｂが吸込口２６の後縁部に引っ掛かり、さらにフィルタ６が押し込まれると、２つの爪部６３ｂが吸込口２６の後縁部すなわち後ろ側フランジ１５ｆと係合する。フィルタ６の後ろ側の２つの爪部６３ｂが吸込口２６の後縁部に係り合った状態で、フィルタ６の前側の２つの爪部６３ａが吸込口２６の前縁部すなわち前側フランジ１２ｆに引っ掛けられ、筐体１にフィルタ６が取り付けられる。
【００３７】
このように、送風機４への接触を防止するために設けられたファンガード７が、フィルタ６のガイドとしても機能することにより、作業者は、フィルタ６を隙間Ｇに挿入することで容易にフィルタ６を筐体１に取り付けることができる。また、係合部６３が爪部６３ａ、６３ｂであり、被係合部が吸込口２６の縁部である場合には、作業者は、フィルタ６を手前側へ引っ張ることで筐体１から取り外すことができ、フィルタ６のメンテナンスが容易にできる。
【００３８】
また、ファンガード７の中央の横桟７１ｃと、フィルタ６の第２仕切部６２ｃとは、下面視（図３参照）で少なくとも一部が重なるように配置される。このように、空気の流入を阻害する部材を集約することで、ファンガード７及びフィルタ６を介して流入する空気の抵抗を低減できる。
【００３９】
なお、フィルタ６の係合部６３の形状及び筐体１の被係合部の形状は、上述したものに限定されない。図９は、本発明の実施の形態１に係る被係合部の他の一例を示す説明図である。図９に示す一例では、被係合部は差込穴１２ｄ、１５ｄである。前側フランジ１２ｆには左右に差込穴１２ｄが設けられており、後ろ側フランジ１５ｆには左右に差込穴１５ｄが設けられている。作業者によりフィルタ６が隙間Ｇに挿入されると、ファンガード７がガイドとなり、フィルタ６の先端部が持ち上げられて、後ろ側フランジ１５ｆの差込穴１５ｄにフィルタ６の後ろ側の爪部６３ｂが差し込まれる。そして、後ろ側フランジ１５ｆに２つの爪部６３ｂが係合した状態で、前側フランジ１２ｆの各差込穴１２ｄに、フィルタ６の前側の各爪部６３ａが差し込まれる。
【００４０】
以上のように、実施の形態１の空気調和機１００において、ファンガード７は、ファンガード７と、筐体１の吸込口２６が設けられた面との隙間Ｇが、フィルタ６の挿入方向の奥側ほど狭くなるように筐体１に設置されている。これにより、挿入方向の手前側では奥側よりも隙間Ｇが大きいのでフィルタ６の挿入を容易にでき、また挿入方向の奥側ほど隙間Ｇが狭くなっているので、奥側でフィルタ６を、筐体１の吸込口２６が設けられた面へ近づけることができる。したがって、作業者がフィルタ６をファンガード７に沿わせて挿入することで、ファンガード７がフィルタ６のガイドとしても機能し、作業者は、フィルタ６の挿入方向の奥側が目視しにくい場合でも、フィルタ６を筐体１に容易に設置することができる。
【００４１】
また、筐体１に設置されたファンガード７は、フィルタ６が隙間Ｇに挿入される際、フィルタ６の係合部６３を、筐体１に設けられた被係合部の位置に誘導する。そして、係合部６３と被係合部とは、フィルタ６が挿入方向に押し込まれると係り合う。これにより、作業者は、係合部６３及び被係合部の位置を目視により確認する必要がなく、フィルタ６を挿入方向（矢印Ｄ方向）に押し込むことで筐体１にフィルタ６を装着できる。また、従来の空気調和機に、フィルタ及びファンガードを上述したフィルタ６及びファンガード７に置き換えて容易に適用でき、フィルタ６の装着性を向上させることができる。
【００４２】
また、係合部６３は、フィルタ６において開口部（吸込口２６）側に突出した爪部６３ｂであり、被係合部は、差込穴１５ｄ又は開口部の縁部（例えば後ろ側フランジ１５ｆ）である。これにより、フィルタ６が押し込まれると、吸込口２６側に突出した爪部６３ｂが、差込穴１５ｄに差し込まれる、あるいは吸込口２６の縁部に引っ掛かることで係合する。またフィルタ６が挿入方向の手前側に引っ張られると、爪部６３ｂが差込穴１５ｄ又は吸込口２６の縁部から外れて係合が解除される。このように、簡単な構造によって、フィルタ６を筐体１に着脱自在とでき、フィルタ６の交換等のメンテナンスを容易にできる。
【００４３】
また、ファンガード７は、平面状に形成されており、筐体１の開口部（吸込口２６）が設けられた面に対して傾斜している。これにより、高さ方向（矢印Ｚ方向）における取付部７３の長さ、あるいは取付部７３を取り付ける取付穴２７の高さ位置を、挿入方向の手前側と奥側とで違えることにより、簡単な構造で、次第に隙間Ｇが狭まる構成を実現することができる。
【００４４】
また開口部は、筐体１の底面に設けられた吸込口２６である。この場合、作業者がフィルタ６を隙間Ｇに挿入すると、フィルタ６の挿入方向の先端部は、ファンガード７により支持されながら、重力に逆らって、吸込口２６が設けられた底面へ近づく。したがって、筐体１の底面に吸込口２６が設けられている場合でも、フィルタ６の装着が容易にできる。上述したように、筐体の底面に吸込口を有する空気調和機が、設置高さの制限された場所の床面２００に設置される場合、筐体の底面と床面２００との間に十分な空間が設けられず、作業者から底面の被係合部の位置が見えにくい。実施の形態１の空気調和機１００によれば、フィルタ６が隙間Ｇに挿入されるとフィルタ６は筐体１の背面側で底面に近づくので、筐体１に容易に設置できる。
【００４５】
なお、本発明の実施の形態は上記実施の形態に限定されず、種々の変更を行うことができる。例えば、筐体１の底面は、前側フランジ１２ｆ及び後ろ側フランジ１５ｆで覆われる部分を除き開口しているものとして説明したが、筐体１の底面に底板を設け、底板に吸込口２６が設けられてもよい。また、ファンガード７が底面の開口部（ここでは吸込口２６）に設置される場合について例示したが、送風機４が天面部１１側に設置される場合には、上面の開口部（ここでは吹出口２１）に設置されてもよい。この場合、ファンガード７は、天面部１１との間に隙間Ｇを形成するように筐体１に設置される。
【００４６】
図６において、ファンガード７の横桟７１と縦桟７２とが互いに直交する場合について示しているが、ファンガード７の形状は特にこれに限定されない。ファンガード７は、指を通さないように構成され、かつ、フィルタ６の挿入方向と一致する方向に延びる部材である縦桟７２が、横桟７１の上側すなわちフィルタ６と近い側に配置されていればよい。複数の横桟７１ａ、７１ｂ、７１ｃのうち中央に設けられた横桟７１ｃは無くてもよい。また、取付部７３の形状は、ファンガード７を筐体１に固定できればどのような形状でもよい。
【００４７】
また、爪部６３ａ、６３ｂの数は４つに限定されず、フィルタ６が筐体１に安定して設置できればよい。係合部６３の形状及び被係合部の形状は、フィルタ６が筐体１に容易に着脱できればどのような形状の組合せでもよい。
【符号の説明】
【００４８】
１  筐体、２  熱交換器、３  ドレンパン、３ａ  溝、４  送風機、４ａ  吐出口、６  フィルタ、７  ファンガード、１１  天面部、１２  前面部、１２ａ、１２ｂ、１２ｃ  板部材、１２ｄ  差込穴、１２ｆ  前側フランジ、１３  側面フレーム、１３ａ  配管カバー、１４  ベース、１４ａ  第１片、１４ｂ  第２片、１５  背面部、１５ｄ  差込穴、１５ｆ  後ろ側フランジ、１６  送風機台、１６ａ  通風孔、２１  吹出口、２２  水入口、２３  ドレン孔、２４  水出口、２６  吸込口、２７  取付穴、２９  ねじ穴、６１  網部、６２  枠部、６２ａ  外枠部、６２ｂ  第１仕切部、６２ｃ  第２仕切部、６３  係合部、６３ａ、６３ｂ  爪部、７１、７１ａ、７１ｂ、７１ｃ  横桟、７２  縦桟、７３  取付部、９１  固定ねじ、９２  取付ねじ、１００  空気調和機、２００  床面、Ｇ  隙間、Ｌ１、Ｌ２  距離、Ｔ  厚み、ｈ  高さ。
【図１】
2019239585.tif 000003
【図２】
2019239585.tif 000004
【図３】
2019239585.tif 000005
【図４】
2019239585.tif 000006
【図５】
2019239585.tif 000007
【図６】
2019239585.tif 000008
【図７】
2019239585.tif 000009
【図８】
2019239585.tif 000010
【図９】
2019239585.tif 000011
【手続補正書】
【提出日】令和2年10月5日(2020.10.5)
【手続補正１】
【補正対象書類名】明細書
【補正対象項目名】０００７
【補正方法】変更
【補正の内容】
【０００７】
本発明に係る空気調和機は、開口部を有し、前記開口部とつながる風路が形成された筐体と、前記筐体に設置され、前記風路に気流を発生させる送風機と、前記風路に配置され、空気と熱媒体とを熱交換させる熱交換器と、前記送風機への接触を防止するものであって、前記筐体の前記開口部が設けられた面との間に隙間を形成して前記筐体の外側に設置されたファンガードと、前記隙間に挿入されて前記筐体に取り付けられ、前記開口部を外側から覆うフィルタと、を備え、前記ファンガードは、前記フィルタの挿入方向の奥側ほど前記隙間が狭くなるように前記筐体に設置されている。
【手続補正２】
【補正対象書類名】特許請求の範囲
【補正対象項目名】全文
【補正方法】変更
【補正の内容】
【特許請求の範囲】
【請求項１】
開口部を有し、前記開口部とつながる風路が形成された筐体と、
前記筐体に設置され、前記風路に気流を発生させる送風機と、
前記風路に配置され、空気と熱媒体とを熱交換させる熱交換器と、
前記送風機への接触を防止するものであって、前記筐体の前記開口部が設けられた面との間に隙間を形成して前記筐体の外側に設置されたファンガードと、
前記隙間に挿入されて前記筐体に取り付けられ、前記開口部を外側から覆うフィルタと、
を備え、
前記ファンガードは、前記フィルタの挿入方向の奥側ほど前記隙間が狭くなるように前記筐体に設置されている
空気調和機。
【請求項２】
前記フィルタは、前記筐体と係り合う係合部を有し、
前記筐体には、前記係合部と係り合う被係合部が設けられ、
前記筐体に設置された前記ファンガードは、前記フィルタが挿入される際、前記フィルタを前記係合部が前記被係合部の位置となるように誘導し、
前記係合部と前記被係合部とは、前記フィルタが挿入方向に押し込まれると係り合う
請求項１に記載の空気調和機。
【請求項３】
前記係合部は、前記フィルタにおいて前記開口部側に突出した爪部であり、
前記被係合部は、差込穴又は前記開口部の縁部である
請求項２に記載の空気調和機。
【請求項４】
前記ファンガードは、平面状に形成され、前記筐体の前記開口部が設けられた面に対して傾斜している
請求項１〜３のいずれか１項に記載の空気調和機。
【請求項５】
前記開口部は、前記筐体の底面に設けられた吸込口である
請求項１〜４のいずれか１項に記載の空気調和機。
【国際調査報告】
2019239585.tif 000012
2019239585.tif 000013
2019239585.tif 000014
2019239585.tif 000015